(57)【特許請求の範囲】
【請求項１】
着信音を発生させることにより着呼通知を行なう携帯通信端末の着信音制御装置において、
前記携帯通信端末の姿勢を検出する姿勢検出手段と、
前記姿勢検出手段が検出した姿勢に基づいて着信音量を制御する着信音量制御手段と、
を具備することを特徴とする着信音制御装置。
【請求項２】
請求項１に記載の携帯通信端末の着信音制御装置において、
前記姿勢検出手段は、携帯通信端末の姿勢がほぼ垂直であることを検出する垂直姿勢検出手段を具備し、
前記着信音量制御手段は、前記垂直姿勢検出手段により携帯通信端末の姿勢がほぼ垂直であることを検出した場合、小音量の着信音を発生させること、
を特徴とする着信音制御装置。
【請求項３】
請求項２に記載の携帯通信端末の着信音制御装置において、
小音量の着信音を発生させた時間を計測する計時手段を具備し、
前記着信音量制御手段は、前記計時手段が計測した時間が所定時間を超えた場合、小音量よりも大きい音量の着信音を発生させること、
を特徴とする着信音制御装置。
【請求項４】
着信音を発生させることにより着呼を通知する携帯通信端末の着信音制御方法において、
前記携帯通信端末の姿勢を検出する第１ステップと、
前記第１ステップで検出した姿勢に基づいて着信音量を制御する第２ステップと、
を含むことを特徴とする着信音制御方法。
【請求項５】
請求項４に記載の携帯通信端末の着信音制御方法において、
前記第１ステップは、携帯通信端末の姿勢がほぼ垂直であることを検出する第３ステップを含み、
前記第２ステップは、前記第３ステップで携帯通信端末の姿勢がほぼ垂直であることを検出した場合、小音量の着信音を発生させる第４ステップを含むこと、
を特徴とする着信音制御方法。
【請求項６】
請求項５に記載の携帯通信端末の着信音制御方法において、
小音量の着信音を発生させた時間を計測する第５ステップを含み、
前記第２ステップは、前記第５ステップで計測した時間が所定時間を超えた場合、小音量よりも大きい音量の着信音を発生させる第６ステップを含むこと、
を特徴とする着信音制御方法。
【請求項７】
着信音の発生又はバイブレータを起動することにより着呼通知を行なう携帯通信端末の着信音制御装置において、
前記携帯通信端末の姿勢を検出する姿勢検出手段と、
前記姿勢検出手段が検出した姿勢に基づいて、着信音の発生か又はバイブレータの起動かを選択する着信選択手段と、
を具備することを特徴とする着信音制御装置。
【請求項８】
請求項７に記載の携帯通信端末の着信音制御装置において、
前記姿勢検出手段は、携帯通信端末の姿勢がほぼ垂直であることを検出する垂直姿勢検出手段を具備し、
前記着信選択手段は、前記垂直姿勢検出手段により携帯通信端末の姿勢がほぼ垂直であることを検出した場合、バイブレータの起動を選択すること、
を特徴とする着信音制御装置。
【請求項９】
請求項８に記載の携帯通信端末の着信音制御装置において、
バイブレータを起動させた時間を計測する計時手段を具備し、
前記着信選択手段は、前記計時手段が計測した時間が所定時間を超えた場合、着信音の発生を選択すること、
を特徴とする着信音制御装置。
【請求項１０】
着信音の発生又はバイブレータを起動することにより着呼通知を行なう携帯通信端末の着信音制御方法において、
前記携帯通信端末の姿勢を検出する第７ステップと、
前記第７ステップで検出した姿勢に基づいて、着信音の発生か又はバイブレータの起動かを選択する第８ステップと、
を含むことを特徴とする着信音制御方法。
【請求項１１】
請求項１０に記載の携帯通信端末の着信音制御方法において、
前記第７ステップは、携帯通信端末の姿勢がほぼ垂直であることを検出する第９ステップを含み、
前記第８ステップは、前記第９ステップにより携帯通信端末の姿勢がほぼ垂直であることを検出した場合、バイブレータの起動を選択する第１０ステップを含むこと、
を特徴とする着信音制御方法。
【請求項１２】
請求項１１に記載の携帯通信端末の着信音制御方法において、
バイブレータを起動させた時間を計測する第１１ステップを含み、
前記第８ステップは、前記第１１ステップにより計測した時間が所定時間を超えた場合、着信音の発生を選択する第１２ステップを含むこと、
を特徴とする着信音制御方法。
【発明の詳細な説明】
【０００１】
【発明の属する技術分野】
本発明は、携帯通信端末の着信音制御装置及び着信音制御方法に係り、更に詳しくは、着信音の発生又はバイブレータを起動することにより着呼通知を行なう携帯通信端末の着信音制御装置及び着信音制御方法に関する。
【０００２】
【従来の技術】
携帯通信端末の小型・軽量化が急速に進み、最近では胸ポケット内に入れたまま持ち運びが可能な携帯電話が登場し、これらの小型携帯通信端末は、胸ポケットだけに限らず、専用のケースを腰や鞄にベルトで取り付けてその中に入れたり、アタッシュケース、ハンドバッグ、セコンドバッグやブリーフケース等に入れて持ち運んだりされている。
【０００３】
ところで、この種の携帯通信端末における着信報知は、主にそれに内蔵されたリンガーを鳴らしたり、バイブレータを起動することにより行われるが、特にリンガーによる着信報知は、その携帯方法の如何にかかわらず、周囲の雑音によっても書き消されること無く携帯者の耳にまで届き、かつ突然の鳴動によっても周囲に迷惑を掛けないと言った配慮の下に決定されねばならない。
【０００４】
例えば、手持ち携帯状態及び腰や鞄に取り付けた状態における最適リンガー音量を標準音量とすると、胸ポケット内での携帯の場合には、携帯者の耳元までの距離がより近くなり、更にリンガー音は電話機ケースの上部から発生するため、標準音量よりも小さい音量の方が好ましい。これに対して、上述のアタッシュケースやハンドバッグ内携帯などの場合には、携帯通信端末が発するリンガー音自体がバッグ等により遮られてしまうため、標準音量よりも可成大きく設定しなければならない。
【０００５】
即ち、携帯者は、常に最適なリンガー音量を得るためには、携帯方法に応じてリンガー音量を適切な値に調整する必要があり、この種の携帯通信端末におけるリンガーの音量調整は、機械式ボリュームや電子ボリュームを用いて調整された音量設定値をそのまま発音体の駆動制御部に与える方式が採用されているめ、現在の音量設定値を変更するためには、その都度ボリュームによる再調整操作が必要となり、更に、ポケット携帯やバッグ携帯での最適音量を得るためには、調整をしては実際にそのような携帯方法を試みると言う確認作業を何度となく繰り返さなければならず、携帯方法変更に応じた即座のリンガー音量変更が困難であると言う問題点があった。
【０００６】
そこで、これらの問題点を解決し、携帯方法変更に対応する最適リンガー音量を即座に設定可能とする為に、特開平６−２７６２６０号公報には携帯型無線電話装置が提案されており、その請求項１に記載の発明は、着信報知音を発生する発音手段と、前記着信報知音の音量設定値を着信音の発生モード別に記憶する記憶手段と、前記着信報知音の発生モードを指定するためのモード指定手段と、前記記憶手段に記憶された各モードの音量設定値の中から前記モード指定手段にて指定されたモードに対応する音量設定値を選択する音量設定値選択手段と、前記音量設定値選択手段にて選択された音量設定値に対応する音量にて前記発音手段から着信報知音を発生させる音量制御手段とを具備することを特徴とする、というものである。また、この発明を簡単に言えば、携帯者が、携帯方法を変更する前に手動でキー入力し、記憶された各モードの音量設定値の中から指定されたモードに対応する音量設定値を選択することにより、選択された音量設定値に対応する音量にてリンガー音を発生させると言う手法を採用しているので、携帯方法が変更されても即座に最適なリンガー音量が得られる、というものである。
【０００７】
【発明が解決しようとする課題】
しかしながら、従来の携帯通信端末では、上述の通り、携帯者自身が携帯方法を変更する前に手動でキー入力して音量設定値を選択する必要があるが、通常携帯者は、携帯通信端末に音量選択機能があったとしても、その機能を知らずにいることやキー入力自体が面倒であるので、音量設定をせずに携帯方法を変更する場合が多く、必ずしも最適なリンガー音量で着信報知が行われているとは限らない。
【０００８】
本発明は、上記の問題点を解決する為になされたものであり、携帯者のキー入力に頼ることなく自動的に携帯通信端末の携帯方法に適したリンガー音量で着信報知をすることが可能な携帯通信端末の着信音制御装置及び着信音制御方法を提供することを目的とする。
【０００９】
【課題を解決するための手段】
請求項１に係る本発明の着信音制御装置は、上記の目的を達成するために、着信音を発生させることにより着呼通知を行なう携帯通信端末の着信音制御装置において、前記携帯通信端末の姿勢を検出する姿勢検出手段と、前記姿勢検出手段が検出した姿勢に基づいて着信音量を制御する着信音量制御手段とを具備することを特徴とする。
【００１０】
請求項２に係る本発明の着信音制御装置は、請求項１に記載の携帯通信端末の着信音制御装置において、前記姿勢検出手段は、携帯通信端末の姿勢がほぼ垂直であることを検出する垂直姿勢検出手段を具備し、前記着信音量制御手段は、前記垂直姿勢検出手段により携帯通信端末の姿勢がほぼ垂直であることを検出した場合、小音量の着信音を発生させることを特徴とする。
【００１１】
請求項３に係る本発明の着信音制御装置は、請求項２に記載の携帯通信端末の着信音制御装置において、小音量の着信音を発生させた時間を計測する計時手段を具備し、前記着信音量制御手段は、前記計時手段が計測した時間が所定時間を超えた場合、小音量よりも大きい音量の着信音を発生させることを特徴とする。
【００１２】
請求項４に係る本発明の着信音制御方法は、着信音を発生させることにより着呼を通知する携帯通信端末の着信音制御方法において、前記携帯通信端末の姿勢を検出する第１ステップと、前記第１ステップで検出した姿勢に基づいて着信音量を制御する第２ステップとを含むことを特徴とする。
【００１３】
請求項５に係る本発明の着信音制御方法は、請求項４に記載の携帯通信端末の着信音制御方法において、前記第１ステップは、携帯通信端末の姿勢がほぼ垂直であることを検出する第３ステップを含み、前記第２ステップは、前記第３ステップで携帯通信端末の姿勢がほぼ垂直であることを検出した場合、小音量の着信音を発生させる第４ステップを含むことを特徴とする。
【００１４】
請求項６に係る本発明の着信音制御方法は、請求項５に記載の携帯通信端末の着信音制御方法において、小音量の着信音を発生させた時間を計測する第５ステップを含み、前記第２ステップは、前記第５ステップで計測した時間が所定時間を超えた場合、小音量よりも大きい音量の着信音を発生させる第６ステップを含むことを特徴とする。
【００１５】
請求項７に係る本発明の着信音制御装置は、着信音の発生又はバイブレータを起動することにより着呼通知を行なう携帯通信端末の着信音制御装置において、前記携帯通信端末の姿勢を検出する姿勢検出手段と、前記姿勢検出手段が検出した姿勢に基づいて、着信音の発生か又はバイブレータの起動かを選択する着信選択手段とを具備することを特徴とする。
【００１６】
請求項８に係る本発明の着信音制御装置は、請求項７に記載の携帯通信端末の着信音制御装置において、前記姿勢検出手段は、携帯通信端末の姿勢がほぼ垂直であることを検出する垂直姿勢検出手段を具備し、前記着信選択手段は、前記垂直姿勢検出手段により携帯通信端末の姿勢がほぼ垂直であることを検出した場合、バイブレータの起動を選択することを特徴とする。
【００１７】
請求項９に係る本発明の着信音制御装置は、請求項８に記載の携帯通信端末の着信音制御装置において、バイブレータを起動させた時間を計測する計時手段を具備し、前記着信選択手段は、前記計時手段が計測した時間が所定時間を超えた場合、着信音の発生を選択することを特徴とする。
【００１８】
請求項１０に係る本発明の着信音制御方法は、着信音の発生又はバイブレータを起動することにより、着呼通知を行なう携帯通信端末の着信音制御方法において、前記携帯通信端末の姿勢を検出する第７ステップと、前記第７ステップで検出した姿勢に基づいて、着信音の発生か又はバイブレータの起動かを選択する第８ステップとを含むことを特徴とする。
【００１９】
請求項１１に係る本発明の着信音制御方法は、請求項１０に記載の携帯通信端末の着信音制御方法において、前記第７ステップは、携帯通信端末の姿勢がほぼ垂直であることを検出する第９ステップを含み、前記第８ステップは、前記第９ステップにより携帯通信端末の姿勢がほぼ垂直であることを検出した場合、バイブレータの起動を選択する第１０ステップを含むことを特徴とする。
【００２０】
請求項１２に係る本発明の着信音制御方法は、請求項１１に記載の携帯通信端末の着信音制御方法において、バイブレータを起動させた時間を計測する第１１ステップを含み、前記第８ステップは、前記第１１ステップにより計測した時間が所定時間を超えた場合、着信音の発生を選択する第１２ステップを含むことを特徴とする。
【００２１】
【実施の形態】
本発明の実施の形態を、第１実施例乃至第４実施例に分けて、図面と共に詳細に説明する。
【００２２】
第１実施例：
図１は、本発明に係る携帯通信端末の着信音制御装置の回路構成を示すブロック図である。
【００２３】
１は、携帯電話回路であり、無線送受信部、信号処理部、送受話器及び制御部やリンガーを鳴動させている時間を計測する計時部（図示せず）などからなる携帯通信端末の主要機能を有している。
【００２４】
２は、リンガー回路であり、携帯電話回路１の指示によりリング発生信号を出力し、発音体４が発するリンガー音量を調整する。
【００２５】
３は、姿勢センサーであり、携帯通信端末の姿勢を検出して、その検出結果を携帯電話回路１に出力する。この姿勢センサー３は、発光部と受光部及びその間に回動可能な遮光板が設けられており、遮光部はその重量によって回動するようになっている。例えば、携帯通信端末がほぼ垂直状態になった場合には、遮光板が発光部からの光を遮らないので、受光部に光が入るようになっており、このときＯＮ信号を携帯電話回路１に出力する。また逆に、携帯通信端末がほぼ垂直以外の状態になった場合には、遮光板が発光部からの光を遮るので、受光部に光が入らないようになっており、このときＯＦＦ信号を携帯電話回路１に出力する。但し、上述した姿勢センサー３は、単なる例示であってこれに限定される訳ではない。
【００２６】
つぎに、上述のように構成された本発明に係る携帯通信端末の着信音制御装置の動作について説明する。
【００２７】
携帯電話回路１は、無線基地局（図示せず）から着信情報を受けると携帯通信端末の携帯者に着信を知らせるためにリンガー制御信号をリンガー回路２へ出力すると、リンガー回路２はリング発生信号を発生させて発音体４に出力する。このとき、携帯電話回路１は、姿勢センサー３からの出力を常に監視しており、ＯＮ信号を検出すると、携帯者が携帯通信端末を胸ポケットや腰に取り付けたケース内に入れていると判断し、発音体４のリンガー音量が小音量となるように音量調整回路３を制御する。またこのとき、携帯電話回路１は、計時部によってリンガー回路２が小音量で発音体４を鳴動させている時間を計測しており、所定時間（例えば、１０秒程度）以上オフ・フック状態にならなければ、携帯者が携帯通信端末をバッグ内などのリンガー音が遮断されるものの内部に入れていると判断し、発音体４のリンガー音量が大音量（小音量よりも大きい音量）となるように音量調整回路３を制御する。
【００２８】
第２実施例：
図２は、本発明に係る携帯通信端末の着信音制御装置の回路構成を示すブロック図である。但し、以下の説明にあっては、図１で説明した構成要素について同一であるものには同一の番号を付し説明を省略する。
【００２９】
５は、切替回路であり、携帯電話回路１の制御の下に信号経路を切換える。
【００３０】
６は、バイブレータであり、携帯通信端末に内蔵され、携帯電話回路１の制御の下に振動し、発音体４と同様に携帯者に着信を通知する。
【００３１】
つぎに、上述のように構成された本発明に係る携帯通信端末の着信音制御装置の動作について説明する。
【００３２】
携帯電話回路１は、姿勢センサー３からの出力を常に監視しており、この状態で無線基地局（図示せず）から着信情報を受けると、携帯電話回路１は、まず姿勢センサー３の出力がＯＮかＯＦＦかを確認する。例えば、姿勢センサー３の出力がＯＦＦであれば、携帯電話回路１は、携帯者が携帯通信端末をバッグ内など振動が伝わりにくいものの内部に入れていると判断し、切替回路５をリンガー回路２側へ切り替えて、発音体４によりリンガーを鳴動させて携帯者に着信を知らせる。
【００３３】
逆に、姿勢センサー３の出力がＯＮであれば、携帯電話回路１は、携帯者が携帯通信端末を胸ポケットや腰に取り付けたケース内に入れていると判断し、切替回路５をバイブレータ６側へ切り替えて、バイブレータ６を振動させて携帯者に着信を知らせる。またこのとき、携帯電話回路１は、計時部によってバイブレータ６が振動している時間を計測しており、所定時間（例えば、１０秒程度）以上オフ・フック状態にならなければ、携帯者が携帯通信端末をバッグ内などのバイブレータ６の振動が遮断されるものの内部に入れていると判断し、切替回路５をリンガー回路２側へ切り替えて、発音体４によりリンガーを鳴動させて携帯者に着信を知らせる。
【００３４】
第３実施例：
図３は、本発明に係る携帯通信端末の着信音制御方法のリンガー処理ルーチンを示すフローチャートである。
【００３５】
携帯電話回路１の制御部（以下、単に「制御部」という）は、無線基地局から着信情報を受けるとリンガー処理ルーチンに移行し、ステップ１００で姿勢センサーの出力がＯＮか否かを判断し、ＯＮでなければステップ１０１に移行し、リンガー音量が大音量となるように音量調整回路を制御して終了するが、一方、ＯＮであればステップ１０２でリンガー音量が小音量となるように音量調整回路を制御し、ステップ１０３に移行する。
【００３６】
制御部は、ステップ１０３で、リンガーを小音量で鳴らした時間が所定時間（例えば、１０秒程度）経過したか否かを判断し、経過していなければ再びステップ１０３に戻り同じ判断を繰り返して行なうが、一方、経過していればステップ１０４に移行し、リンガー音量が大音量となるように音量調整回路を制御して終了する。
【００３７】
第４実施例：
図４は、本発明に係る携帯通信端末の着信音制御方法のリンガー処理ルーチンを示すフローチャートである。
【００３８】
制御部は、無線基地局から着信情報を受けるとリンガー処理ルーチンに移行し、ステップ２００で姿勢センサーの出力がＯＮか否かを判断し、ＯＮでなければステップ２０１に移行し、リンガーを鳴動させて終了するが、一方、ＯＮであればステップ２０２でバイブレータを振動させ、ステップ２０３に移行する。
【００３９】
制御部は、ステップ２０３で、バイブレータを振動させた時間が所定時間（例えば、１０秒程度）経過したか否かを判断し、経過していなければ再びステップ２０３に戻り同じ判断を繰り返して行なうが、一方、経過していればステップ２０４に移行し、リンガーを鳴動させて終了する。
【００４０】
【発明の効果】
以上説明した様に、本発明に係る携帯通信端末の着信音制御装置及び着信音制御方法によれば、姿勢センサーの検出結果に基づいて着信音量を制御するので、自動的に携帯通信端末の携帯方法に適したリンガー音量やバイブレータに切り換えて着信報知をすることが可能となる。また、リンガーを小音量で鳴動させたりバイブレータを振動させている場合でも、所定時間が経過したらリンガーを大音量に変更したり、バイブレータの振動からリンガーの鳴動に切り換えるので、携帯者が着信報知に気づかないということもない。
【図面の簡単な説明】
【図１】本発明に係る携帯通信端末の着信音制御装置の回路構成を示すブロック図である。
【図２】本発明に係る携帯通信端末の着信音制御装置の回路構成を示すブロック図である。
【図３】本発明に係る携帯通信端末の着信音制御方法のリンガー処理ルーチンを示すフローチャートである。
【図４】本発明に係る携帯通信端末の着信音制御方法のリンガー処理ルーチンを示すフローチャートである。
【符号の説明】
１        携帯電話回路
２        リンガー回路
３        姿勢センサー
４        発音体
５        切替回路
６        バイブレータ
【図１】
0004073096.tif 000002
【図２】
0004073096.tif 000003
【図３】
0004073096.tif 000004
【図４】
0004073096.tif 000005